(57)【要約】【課題】隣り合う笠木の端部間の隙間を笠木の上端表面から何ら突出することなく隠すことができるとともに、気温による笠木の伸縮に対応できるようにする。【解決手段】コンクリート躯体の立ち上がり壁２の上端に笠木取り付け金具５を取り付け、この笠木取り付け金具５に被さり立ち上がり壁２の上端を覆うように配設される笠木１において隣り合う笠木１，１の端部にそれぞれ合成樹脂製の隙間隠し部材３，４を圧入し、隣り合う笠木１，１の端部に圧入された隙間隠し部材３，４に笠木１，１から笠木１，１の長さ方向に突出するように係合片１１，１５を設け、隣り合う笠木１，１の端部間の間隔の変化に追随して前記両係合片１１，１５は互いに係合した状態で互いに遠近移動するようにした。【選択図】図７
2010180599.tif 000002
【特許請求の範囲】
【請求項１】
コンクリート躯体の立ち上がり壁の上端を覆うパラペット笠木の接続部構造であって、立ち上がり壁の上端に笠木取り付け金具を取り付け、この笠木取り付け金具に被さり立ち上がり壁の上端を覆うように配設される笠木において隣り合う笠木の端部にそれぞれ合成樹脂製の隙間隠し部材を圧入し、隣り合う笠木の端部に圧入された隙間隠し部材に笠木から笠木の長さ方向に突出するように係合片を設け、隣り合う笠木の端部間の間隔の変化に追随して前記両係合片は互いに係合した状態で互いに遠近移動するようにしたことを特徴とするパラペット笠木の接続部構造。
【請求項２】
隣り合う笠木の端部に圧入された隙間隠し部材の内、一方の隙間隠し部材には隣り合う一方の笠木より突出して笠木の端面に当接するフランジの外面から直角に笠木の長さ方向に突出する水平部と、この水平部から内向きに直角に繋がる折曲部とからなる係合片が一体に設けられ、他方の隙間隠し部材には隣り合う他方の笠木より突出して笠木の端面に当接するフランジの外面から直角に笠木の長さ方向に突出する水平部と、この水平部から外向きに直角に繋がる折曲部とからなり前記係合片と係合する係合片が一体に設けられ、隣り合う笠木の端部間の間隔の変化に追随して前記両係合片の折曲部は互いに係合した状態で互いに遠近移動するようにしたことを特徴とする請求項１記載のパラペット笠木の接続部構造。
【発明の詳細な説明】
【技術分野】
【０００１】
本発明は、マンションなどのコンクリート躯体の立ち上がり壁の上端を覆うパラペット笠木の端部間の隙間を隠すパラペット笠木の接続部構造に関するものである。
【背景技術】
【０００２】
従来のこの種パラペット笠木の接続部構造としては、例えば特許文献１に開示されているように、逆溝型断面を有する笠木の連結部外周面に沿設する部材であって、適宜幅の軟質ゴムまたは軟質樹脂等の伸縮弾性を有する伸縮帯部材部の両端に、それぞれ硬質樹脂からなる係合部材部を一体的に成形するかまたは固設一体化してなり、該両係合部材部に前記笠木の前後垂縁の縁端と係合する係合溝等の係合構造を構成してなる笠木用目地隠し部材が用いられ、この笠木用目地隠し部材で隣り合う笠木の端部間の継ぎ目部を覆うように被せるものが知られている。
【先行技術文献】
【特許文献】
【０００３】
【特許文献１】特開平７−２７９３３６号公報
【発明の概要】
【発明が解決しようとする課題】
【０００４】
上記特許文献１に開示されている笠木用目地隠し部材は隣り合う笠木の端部間の継ぎ目部を覆うように被せて使用するものであるが、笠木用目地隠し部材の端面と笠木の上面との間の隙間から雨水が浸入し、その雨水が隣り合う笠木の端部間に浸入してコンクリート躯体の立ち上がり壁に染み込むという問題があった。また、樹脂製の笠木用目地隠し部材は隣り合う笠木の端部間の継ぎ目部を覆うように被せられるので、笠木の表面から突出する状態となり、笠木用目地隠し部材に側方から外力が加わると笠木用目地隠し部材がずれ動くという問題や、笠木用目地隠し部材が損傷しやすくなるという問題があった。
【０００５】
本発明の目的は、このような課題を解決するものであり、隣り合う笠木の端部間の隙間を笠木の上端表面から何ら突出することなく隠すことができるとともに、気温による笠木の伸縮に対応できるようにしたパラペット笠木の接続部構造を提供することにある。
【課題を解決するための手段】
【０００６】
本発明の請求項１に記載のパラペット笠木の接続部構造は、コンクリート躯体の立ち上がり壁の上端を覆うパラペット笠木の接続部構造であって、立ち上がり壁の上端に笠木取り付け金具を取り付け、この笠木取り付け金具に被さり立ち上がり壁の上端を覆うように配設される笠木において隣り合う笠木の端部にそれぞれ合成樹脂製の隙間隠し部材を圧入し、隣り合う笠木の端部に圧入された隙間隠し部材に笠木から笠木の長さ方向に突出するように係合片を設け、隣り合う笠木の端部間の間隔の変化に追随して前記両係合片は互いに係合した状態で互いに遠近移動するようにした。
【０００７】
請求項２に記載のパラペット笠木の接続部構造は、隣り合う笠木の端部に圧入された隙間隠し部材の内、一方の隙間隠し部材には隣り合う一方の笠木より突出して笠木の端面に当接するフランジの外面から直角に笠木の長さ方向に突出する水平部と、この水平部から内向きに直角に繋がる折曲部とからなる係合片が一体に設けられ、他方の隙間隠し部材には隣り合う他方の笠木より突出して笠木の端面に当接するフランジの外面から直角に笠木の長さ方向に突出する水平部と、この水平部から外向きに直角に繋がる折曲部とからなり前記係合片と係合する係合片が一体に設けられ、隣り合う笠木の端部間の間隔の変化に追随して前記両係合片の折曲部は互いに係合した状態で互いに遠近移動するようにした。
【発明の効果】
【０００８】
以上のように、本発明のパラペット笠木の接続部構造は、隣り合う笠木の端部に圧入してそれぞれ設けた隙間隠し部材により隣り合う笠木の端部間の隙間を笠木の上端表面から何ら突出することなく隠すことができるとともに、隣り合う笠木の端部間の間隔の変化に追随して前記両係合片は互いに係合した状態で互いに遠近移動するようにしたことにより、気温による笠木の伸縮に対応できるようにしたパラペット笠木の接続部構造を提供することができる。
【図面の簡単な説明】
【０００９】
【図１】本発明の一実施の形態におけるパラペット笠木の接続部構造を示す概略平面図である。
【図２】（Ａ）および（Ｂ）は一方の隙間隠し部材の斜視図である。
【図３】（Ａ）および（Ｂ）は他方の隙間隠し部材の斜視図である。
【図４】同隣り合う一方の笠木の端部に一方の隙間隠し部材を圧入した状態を示す斜視図である。
【図５】同隣り合う他方の笠木の端部に他方の隙間隠し部材を圧入した状態を示す斜視図である。
【図６】図１のＸ−Ｘ断面図である。
【図７】図１のＹ−Ｙ断面図である。
【図８】同気温の変化により隣り合う笠木間が開いた状態を示す断面図である。
【発明を実施するための形態】
【００１０】
以下、本発明の一実施の形態を、図１〜図８を用いて具体的に説明する。
図において、１はマンションなどのコンクリート躯体の屋上などにおける周囲の立ち上がり壁２の上端を覆う笠木で、アルミを材料に用いて押し出し成型により形成されている。笠木１は立ち上がり壁２の長さ方向に分断されており、その分断部における隣り合う両笠木１の端部内側には合成樹脂製の隙間隠し部材３，４がそれぞれ設けられる。前記両笠木１はともに断面形状において側面形状がほぼ門型で、上端板部１ａが立ち上がり壁２の内側に向って下降傾斜するように形成され、この上端板部１ａに繋がる前後板部１ｂ，１ｃを備え、前側の板部１ｂの下端内側には後述する笠木取り付け金具５に当接してビス６により結合される斜め下向きの当接片７を備え、さらに前記上端板部１ａに繋がる後側板部１ｃの下端ならびに下端より少し上側においてほぼ水平に内側に突出する互いに平行な板部１ｄ，１ｅを備えている。前記隣り合う一方の笠木１の端部内側には一方の隙間隠し部材３が設けられ、隣り合う他方の笠木１の端部内側に他方の隙間隠し部材４が設けられる。前記一方の隙間隠し部材３は前記一方の笠木１の端部に嵌り込むようにほぼ門型を呈し、前記一方の笠木１の端部内側において笠木１の上端内面およびこの上端内面に繋がる前後内面に当接して圧入されるとともに笠木１の上端内面および前後内面との間に連続する溝８が並設されており、また笠木１の後側板部１ｃの内側に位置する部分には笠木１の下端より少し上側の前記板部１ｅが嵌り込む切除部９が形成され、さらに笠木１より突出して笠木１の端面に当接するフランジ１０の外面にフランジ１０の外面から直角に笠木１の長さ方向に突出する水平部１１ａと、この水平部１１ａから内向きに直角に繋がる折曲部１１ｂとからなる係合片１１が一体に設けられている。前記他方の隙間隠し部材４も前記一方の隙間隠し部材３と同様に前記他方の笠木１の端部に嵌り込むようにほぼ門型を呈している。そして、この他方の隙間隠し部材４は他方の笠木１の端部内側において笠木１の上端内面およびこの上端内面に繋がる前後内面に当接して圧入されるとともに笠木１の上端内面および前後内面との間に連続する溝１２が並設されており、また笠木１の後側板部１ｃの内側に位置する部分には笠木１の下端より少し上側の前記板部１ｅが嵌り込む切除部１３が形成され、さらに笠木１より突出して笠木１の端面に当接するフランジ１４の外面にフランジ１４の外面から直角に笠木１の長さ方向に突出する水平部１５ａと、この水平部１５ａから外向きに直角に繋がる折曲部１５ｂとからなる係合片１５が一体に設けられている。従って、隣り合う両笠木１，１は一方の隙間隠し部材３の係合片１１の折曲部１１ｂと他方の隙間隠し部材４の係合片１５の折曲部１５ｂとが係合した状態で気温の変化により互いに遠近移動することになる。
【００１１】
ところで、前記両隙間隠し部材３，４には係合片１１および係合片１５が形成されている位置で前記フランジ１０および１４の内側で立ち上がり壁２の上端に当接するように当接板部１６および１７が形成されている。そして、前記一方の隙間隠し部材３および他方の隙間隠し部材４の移動ストロークを大きくするために、当接板部１６および１７に前記係合片１５の折曲部１５ｂおよび係合片１１の折曲部１１ｂが嵌入可能な開口部１８および１９が形成されている。つまり、隣り合う両笠木１，１間の間隔が外気温の変化により変化しても、一方の隙間隠し部材３側の係合片１１と他方の隙間隠し部材４の係合片１５は係合状態で前記折曲部１１ｂと折曲部１５ｂは互いに遠近移動し、両笠木１，１間が最も離れた状態において折曲部１１ｂと折曲部１５ｂが当接し、両笠木１，１間が最も近づいた状態において一方の隙間隠し部材３側の折曲部１１ｂは他方の隙間隠し部材４側の開口部１９に入り込み、他方の隙間隠し部材４側の折曲部１５ｂは一方の隙間隠し部材３側の開口部１８に入り込むようになる。
【００１２】
さらに、笠木１を前記立ち上がり壁２上に取り付けるための前記笠木取り付け金具５は、前記一方の隙間隠し部材３および他方の隙間隠し部材４が嵌り込む笠木１の端部を除く位置で適当箇所で笠木１を受けるべく立ち上がり壁２の上端に取り付けられるもので、寸法幅は短尺であり、立ち上がり壁２の上端に載りビス２０止めされる板部２１と、立ち上がり壁２の内側に位置するように板部２１に下向きに連設され下端が笠木１の下向きの当接片７と当接してビス６により結合される下向き板部２２と、立ち上がり壁２の外側に位置するように板部２１に下向きに連設され下端が笠木１の下端より少し上側の前記板部１ｅの先端に係止する下向き板部２３と、前記板部２１の前後方向のほぼ中心から上向きに立ち上がり上端が笠木１の上端板部１ａの内面に面で受ける板部２４を上端に備えた支持部２５とから構成されており、笠木１は笠木取り付け金具５に被さるように配設されて笠木取り付け金具５に支持される。
【００１３】
上記構成において、笠木１は立ち上がり壁２の上端に取り付けられた笠木取り付け金具５により支持され、この支持された隣り合う笠木１，１間の隙間を隠すべく隣り合う笠木１，１の端部に圧入された隙間隠し部材３および４により笠木１，１間の隙間を隠すとともに外気温の変化により隣り合う両笠木１，１間の間隔が変化しても係合片１１と係合片１５が互いに係合した状態で両笠木１，１間の間隔の変化に追随でき、隣り合う両笠木１，１間に隙間ができることがない。また、両笠木１，１の端部より両笠木１，１と両隙間隠し部材３，４との微小な隙間より雨水が浸入してもその雨水は前記溝８，１２に入り込み、立ち上がり壁２の内外に流れ落ちるようになり、コンクリート躯体の立ち上がり壁２の防水性が得られる。
【産業上の利用可能性】
【００１４】
本発明のパラペット笠木の接続部構造は、マンションなどのコンクリート躯体の立ち上がり壁の上端を覆う笠木の取り付け部において、隣り合う両笠木間の間隔が変化しても隣り合う両笠木間に隙間ができることがないパラペット笠木の接続部構造である。
【符号の説明】
【００１５】
１            笠木
１ａ          上端板部
１ｂ，１ｃ    前後板部
１ｄ，１ｅ    板部
２            立ち上がり壁
３，４        隙間隠し部材
５            笠木取り付け金具
６            ビス
７            当接片
８            溝
９            切除部
１０            フランジ
１１            係合片
１１ａ          水平部
１１ｂ          折曲部
１２            溝
１３            切除部
１４            フランジ
１５            係合片
１５ａ          水平部
１５ｂ          折曲部
１６，１７      当接板部
１８，１９      開口部
２０            ビス
２１            板部
２２，２３      下向き板部
２４            板部
２５            支持部
【図１】
2010180599.tif 000003
【図２】
2010180599.tif 000004
【図３】
2010180599.tif 000005
【図４】
2010180599.tif 000006
【図５】
2010180599.tif 000007
【図６】
2010180599.tif 000008
【図７】
2010180599.tif 000009
【図８】
2010180599.tif 000010